(57)【特許請求の範囲】
【請求項１】
下側パッケージに上側パッケージを載置して結合する上下分割式のエンジン収納用パッケージにおいて、
上側パッケージ底面の両側長さを下側パッケージ天井面の両側長さよりも大きくし、該上側パッケージ底面の両側に、上下パッケージの結合状態で下側パッケージと接触する箇所からパッケージ外部下方へ傾斜する傾斜面を有するガイド部材を、前記上側パッケージの両側全長に及んで設けたことを特徴とする上下分割式のエンジン収納用パッケージの結合構造。
【請求項２】
前記請求項１に記載の上下分割式のエンジン収納用パッケージにおいて、前記上側パッケージを複数のパッケージに分割し、各分割パッケージごとに下側パッケージに結合することを特徴とする上下分割式のエンジン収納用パッケージの結合構造。
【発明の詳細な説明】
【技術分野】
【０００１】
本発明は、例えばコージェネレーションシステムやＧＨＰ（ガスヒートポンプ）に使用される上下分割式のエンジン収納用パッケージの結合構造に関する。
【背景技術】
【０００２】
従来、コージェネレーションシステムとしては、ガスエンジンや該ガスエンジンに供給する燃料ガスを圧縮するガス圧縮機等の関連機器をパッケージに内蔵するパッケージ内蔵型のものが周知である。
【０００３】
このようにガスエンジンやガス圧縮機等の関連機器をパッケージに内蔵することにより、防音効果や、コージェネレーションシステムを屋外に設置した場合に、関連機器を雨水等から保護する効果がある。
【０００４】
エンジン収納用パッケージの分割構造として下記のものがある。すなわち、パッケージは、大型のものが多く、そのため、複数に分割されたパッケージを、その設置場所で組み付けるのが一般的である（例えば、特許文献１参照）。
【特許文献１】実公平８−１０６５９号公報
【発明の開示】
【発明が解決しようとする課題】
【０００５】
先行技術文献には水平分割式のパッケージの結合構造が開示されている。本構成は結合部にスキマを設けてパッキンで密封する構造だが、上下分割式のパッケージの場合には適用できるものではない。
【０００６】
そこで、本発明の課題は、上下分割式のエンジン収納用パッケージにおいて、その結合を容易にするための結合構造を提供することである。
【課題を解決するための手段】
【０００７】
本発明は、前記課題を解決するためになされたもので、下側パッケージに上側パッケージを載置して結合する上下分割式のエンジン収納用パッケージにおいて、上側パッケージ底面の両側長さを下側パッケージ天井面の両側長さよりも大きくし、該上側パッケージ底面の両側に、上下パッケージの結合状態で下側パッケージと接触する箇所からパッケージ外部下方へ傾斜する傾斜面を有するガイド部材を、前記上側パッケージの両側全長に及んで設けたことにある。
【０００８】
前記本発明は、下側パッケージ両側上端の一辺に、ガイド部材の下端を当てて上側パッケージを滑らすことにより、上側パッケージの下側パッケージに対する位置合わせができるので、上下パッケージの結合作業性が向上する。
【０００９】
本発明は、前記上下分割式のエンジン収納用パッケージにおいて、前記上側パッケージを複数のパッケージに分割し、各分割パッケージごとに下側パッケージに結合することにある。
【発明の効果】
【００１３】
本発明は、上側パッケージを下降させる際に、上側パッケージおよび下側パッケージの少なくとも一方に設けたガイド部材が他方側を滑るため、上側パッケージを下側パッケージに対して容易且つ迅速に位置決めでき、上下パッケージの結合作業性の向上を図ることができる。
【発明を実施するための最良の形態】
【００１４】
以下、本発明の実施形態について図面を参照しながら説明する。図１〜図７は、本発明をコージェネレーションシステムに採用した第１実施の形態を示す。
【００１５】
本実施形態のコージェネレーションシステムのパッケージ１は、図５〜図７に示すように、接地される略直方体形状の筺体からなる下側パッケージ１０と、この下側パッケージ上面に載置され結合された上側パッケージ２０とから構成されている。
【００１６】
下側パッケージ１０内には、図５に示すように、ガスエンジン２、ガス供給ユニット３、発電機（図示省略）、ガスバルブユニット５、および発電機により発電された電力を供給すべく外部機器と接続可能な高圧盤６等の関連機器が設置されている。
【００１７】
ガスエンジン２の近傍には、ガスエンジン２に供給される潤滑油が貯留された潤滑油循環タンク７と、潤滑油をガスエンジン２のオイルパン（図示省略）に補充する潤滑油補給タンク８とが設けられている。
【００１８】
上側パッケージ２０は、中央ダクト２１と、この中央ダクト２１の一端に固定され且つ吸気フード２３を備える吸気ダクト２２と、中央ダクト２１の他端に固定され且つ排気フード２６を備える排気ダクト２５とから一体に構成されたものである。
【００１９】
吸気フード２３は、下側パッケージ一１０の長手方向一端よりも水平方向に突設され、吸気フード２３の下面には吸気口（図示省略）が形成されており、この吸気口を介して外気を下側パッケージ内に導入できるようになっている。
【００２０】
排気フード２６は、下側パッケージの長手方向他端よりも水平方向に突設され、排気フード２６の下面には排気口（図示省略）が形成されており、排気口を介して下側パッケージ１０内の空気が排出されるようになっている。
【００２１】
なお、吸気ダクト２２には、吸気ファン（図示省略）が、下側パッケージ１０内で且つ吸気側には、エアフィルタ１４が設けられている。この吸気ファンにより、吸気フード２３から吸引された外気は、エアフィルタ１４を通過して、ガスエンジン２に供給されるとともに、ガスエンジン２およびガス供給ユニット３等の関連機器を冷却した後に排気ダクト２５を経由して排気フード２６から排出されるようになっている。
【００２２】
中央ダクト２１には、排ガス系関連機器としての消臭触媒２８が内蔵されている。
【００２３】
上側パッケージ底面２０ａの前後両側（中央ダクト２１、吸気ダクト２２および排気ダクト２５のそれぞれの前後壁面２１ａ、２２ａ、２５ａの下端）には、ガイド部材３０、３０がそれぞれ設けられている。すなわち、ガイド部材３０は、中央ダクト２１、吸気ダクト２２および排気ダクト２５に連続して設けられ、図３に示すように、上側パッケージ２０から下方に延設された垂直部３１と、この垂直部３１からパッケージ内側に延設された水平部３２と、この水平部３２の内側端から上側パッケージ内側に傾斜して立ち上がった傾斜部３３とからなる。両側のガイド部材３０、３０の傾斜部３３、３３は、上方に向け間隔が次第に狭くなるハの字状を呈している。
【００２４】
具体的には、傾斜部３３の上端の間隔（ガイド部材基部の間隔）Ｌ１は、下側パッケージ天井面長さＷと略同等に設定されている。また、傾斜部３３の下端の間隔（ガイド部材下端の間隔）Ｌ２は、下側パッケージ天井面長さＷよりも大きく設定されている。従って、両傾斜部３３の互いに対向する面が、傾斜面３３ａとなっているとともに、上側パッケージ底面の前後方向両側長さは、下側パッケージ天井面長さＷよりも大きくなっている（上側パッケージ底面は、下側パッケージ天井面よりも大きくなっている。）。そして、ガイド部材３０の傾斜面３３ａは、上下パッケージの結合状態で下側パッケージ１０と接触する箇所から下側パッケージ外部下方へ傾斜している。なお、ここで、下側パッケージ１０と接触する箇所とは、傾斜面３３ａの上端（ガイド部材内側基部）をいう。
【００２５】
ガイド部材３０は、上側パッケージ２０の壁を金属板で形成した場合には、金属板を屈曲して一体的に形成することができる。また、ガイド部材３０は、上側パッケージ２０とは別部材のものを取付けることも可能である。しかも、ガイド部材３０は、板材を屈曲した中空のもを例示したが、中実のものであってもよい。
【００２６】
次に、前記構成からなるパッケージ１の組み付け作業を行う場合について説明する。
【００２７】
先ず、中央ダクト２１、吸気ダクト２２および排気ダクト２５が一体となった上側パッケージ２０全体を、クレーンン等で吊り上げ、下側パッケージ１０の上方に配置させる（図１および図２参照）。このとき、上側パッケージ２０は、下側パッケージ１０に対して中心位置を予め正確に合致させておく必要はない。
【００２８】
次に、上側パッケージ２０を水平に下降させる。上側パッケージ２０が下側パッケージ１０に対して中心が若干ずれている場合には、一方のガイド部材３０が下側パッケージ上端の一辺１０ａに接触する（図４（ａ）参照）。さらに、上側パッケージ２０を下降させると、一方のガイド部材３０の傾斜部面３３ａは、下側パッケージ上端の一辺１０ａを摺動することとなり、上側パッケージ２０は下降するにともなって、下側パッケージ１０の中心に寄せられる（図４（ｂ）参照）。
【００２９】
上側パッケージ２０をさらに下降させることにより、両側のガイド部材３０、３０の基部間に下側パッケージ上端の両辺１０ａ、１０ｂを嵌合させて、それぞれの中心を合致させることができる（図３および図６参照）。
【００３０】
上側パッケージ２０を下側パッケージ１０に載置した後に、上側パッケージ２０を下側パッケージ１０に適宜ボルト等で締結固定する。このように、上側パッケージ２０にあるガイド部材３０の下端を、下側パッケージ１０に当てて、上側パッケージ２０を滑らすことにより、上側パッケージ２０を下側パッケージ１０の所定位置に容易且つ迅速に載置できることとなり、上下パッケージの結合作業性が向上する。
【００３１】
なお、前記実施の形態では、ガイド部材３０を上側パッケージ長辺側（前後側）にもうけたものを例示したが、ガイド部材３０は、図７に示すように、上側パッケージ短辺側（吸気ダクト２２および排気ダクト２５の底面左右側）にも設けても良い。かかる場合には、上側パッケージ２０を前後左右方向に位置決めできる。また、ガイド部材３０は、上側パッケージ短辺側の両側にのみ設けても良い。
【００３２】
図８〜図１２は、本発明の第２の実施の形態を示す。なお、前記実施の形態と同一部材は、同一符号を付して各部材の説明は省略する。
【００３３】
本実施の形態では、下側パッケージ天井面１０ａの両側にガイド部材３５が設けられている。このガイド部材３５は、帯状体を下側パッケージ天井面からパッケージ内部上方へ立ち上げたものである。そして、ガイド部材外面３５ａが、パッケージ内部上方へ傾斜する傾斜面となっている。
【００３４】
また、ガイド部材３５は、その基部３５ｂが下側パッケージ前後壁よりも所定長さＬ３だけ内側から立ち上がっている。
【００３５】
一方、上側パッケージ底面２０ａには、前記ガイド部材３５を摺動する断面略Ｌ字状のガイド部材３７が設けられている。このガイド部材３７は、上側パッケージ壁から下方に延設された垂直部３７ａと、この垂直部３７ａから内向きに設けられた水平部３７ｂとを備えている。また、水平部３７ｂの長さＬ４は、前記所定長さＬ３と等しく設定されている。
【００３６】
そして、上側パッケージ２０全体を、クレーン等で吊り上げ、下側パッケージ１０の上方に配置させる（図８および図９参照）。このとき、上側パッケージ２０は、下側パッケージ１０に対して中心位置を予め正確に合致させておく必要はない。
【００３７】
次に、上側パッケージ２０を水平に下降させる。上側パッケージ２０が下側パッケージ１０に対して中心が若干ずれている場合には、上側パッケージ２０の一方のガイド部材３７が、下側パッケージ１０の一方のガイド部材３５に接触する（図１１（ａ）参照）。
【００３８】
さらに、上側パッケージ２０を下降させると、一方のガイド部材３５は、一方のガイド部材３５の傾斜部面を摺動することとなり、上側パッケージ２０は下降するにともなって、下側パッケージ１０の中心に寄せられる（図１１（ｂ）参照）。
【００３９】
上側パッケージ２０をさらに下降させることにより、両側のガイド部材３５、３５の基部間に上側パッケージ２０のガイド部材３７、３７を嵌合させて、上側パッケージ２０の中心を合致させることができる（図１０および図１２参照）。その後に、上側パッケージ２０を下側パッケージ１０に適宜ボルト等で締結固定する。
【００４０】
本実施の形態は、上側パッケージ２０を下側パッケージ１０の所定位置に容易且つ迅速に載置できることとなり、上下パッケージの結合作業性が向上する。また、上側パッケージ２０を下側パッケージ１０に載置した際には、それぞれの前後壁面が面一となり、上側パッケージ底面２０ａと下側パッケージ天井面１０ａを、同一寸法にすることもできるので、その場合は美観性も向上する。なお、ガイド部材３７を上側パッケージ短辺側にも設け、しかも、ガイド部材３５を下側パッケージ１０の短辺側に設けることも可能である。
【００４１】
図１３〜図１７は、本発明の第３の実施の形態を示す。なお、前記実施の形態と同一部材は、同一符号を付して各部材の説明は省略する。
【００４２】
本実施の形態は、下側パッケージ天井面１０ａの四隅に円錐形状を呈する突起からなるガイド部材４０を設けている。また、上側パッケージ底面２０ａには、前記ガイド部材４０が挿通する円形の孔４１が形成されている。この孔４１の直径は、ガイド部材基部４０ａの底面と略同一形状に設定されている。
【００４３】
かかるガイド部材４０を備えた下側パッケージ１０の上方に、上側パッケージ２０を吊り下げ、上側パッケージ２０を水平に下降させる。上側パッケージ２０が下側パッケージ１０に対して中心が若干ずれている場合には、ガイド部材先端部が孔周面４１ａに接触する（図１６（ａ）参照）。
【００４４】
さらに、上側パッケージ２０を下降させると、孔周面４１ａが一方のガイド部材４０のテーパ面を摺動することとなり、上側パッケージ２０は下降するにともなって、下側パッケージ１０の中心に寄せられる（図１６（ｂ）参照）。
【００４５】
上側パッケージ２０をさらに下降させることにより、孔周面４１ａがガイド部材基部４０ａの底面部に嵌合し、下側パッケージ１０および上側パッケージ２０それぞれの中心を合致させることができる（図１５および図１７参照）。
【００４６】
その後に、上側パッケージ２０を下側パッケージ１０に適宜ボルト等で締結固定する。なお、ガイド部材４０は、下側パッケージ天井面１０の四隅に設けた場合を例示したが、下側パッケージ天井面１０の両側にそれぞれ１個設けることも可能であり、その個数は特に限定されるものではない。
【００４７】
図１８〜図２０は、前記第１〜第３実施の形態に対する他の実施の形態を示す。すなわち、かかる他の実施の形態は、上側パッケージ２０を、中央ダクト２１、吸気ダクト２２および排気ダクト２５にそれぞれ分解しておき、それぞれの分割パッケージを個別に下側パッケージ１０に載置する。尚、前記実施の形態と同一部材は、同一符号を付して各部材の説明は省略する。
【００４８】
図１８に示す実施の形態は、中央ダクト２１、吸気ダクト２２および排気ダクト２５が、ガイド部材３０をそれぞれ備えている。
【００４９】
図１９に示す実施の形態は、下側パッケージ１０にガイド部材３５が設けられている。また、中央ダクト２１、吸気ダクト２２および排気ダクト２５には、ガイド部材３５に対応するガイド部材（図示省略）が設けられている。
【００５０】
図２０に示す実施の形態は、中央ダクト２１、吸気ダクト２２および排気ダクト２５の底面４隅に孔がそれぞれ設けられている。また、下側パッケージ１０には、中央ダクト２１、吸気ダクト２２および排気ダクト２５のそれぞれの孔に対応して、ガイド部材４０が設けられている。
【図面の簡単な説明】
【００５１】
【図１】本発明の第１実施の形態に係り、上側パッケージを吊り下げた状態を示す斜視図である。
【図２】上側パッケージを吊り下げた状態を示す側面図である。
【図３】上側パッケージを下側パッケージに組み付けた状態の断面側面図である。
【図４】（ａ）および（ｂ）は、上側パッケージを下側パッケージに組み付ける状態をそれぞれ示す断面側面図である。
【図５】コージェネレーションシステムの概略を示す斜視図である。
【図６】上側パッケージを下側パッケージに組み付けた状態のパッケージの側面図である。
【図７】上側パッケージを下側パッケージに組み付けた状態のパッケージの正面斜視図である。
【図８】本発明の第２実施の形態に係り、上側パッケージを吊り下げた状態を示す斜視図である。
【図９】上側パッケージを吊り下げた状態を示す側面図である。
【図１０】上側パッケージを下側パッケージに組み付けた状態の断面側面図である。
【図１１】（ａ）および（ｂ）は、上側パッケージを下側パッケージに組み付ける状態をそれぞれ示す断面側面図である。
【図１２】上側パッケージを下側パッケージに組み付けた状態のパッケージの側面図である。
【図１３】本発明の第３実施の形態に係り、上側パッケージを吊り下げた状態を示す斜視図である。
【図１４】上側パッケージを吊り下げた状態を示す側面図である。
【図１５】上側パッケージを下側パッケージに組み付けた状態の断面側面図である。
【図１６】（ａ）および（ｂ）は、上側パッケージを下側パッケージに組み付ける状態をそれぞれ示す断面側面図である。
【図１７】上側パッケージを下側パッケージに組み付けた状態のパッケージの側面図である。
【図１８】本発明の他の実施の形態に係り、分割された上側パッケージを吊り下げた状態を示す斜視図である。
【図１９】本発明の他の実施の形態に係り、分割された上側パッケージを吊り下げた状態を示す斜視図である。
【図２０】本発明の他の実施の形態に係り、分割された上側パッケージを吊り下げた状態を示す斜視図である。
【符号の説明】
【００５２】
１        パッケージ
１０      下側パッケージ
１０ａ    下側パッケージ天井面
２０      上側パッケージ
２０ａ    上側パッケージ底面
２１      中央ダクト
２２      吸気ダクト
２３      吸気フード
２５      排気ダクト
２６      排気フード
２８      消臭触媒
３０      ガイド部材
３１      垂直部
３２      水平部
３３      傾斜部
３３ａ    傾斜面
３５      ガイド部材
３５ａ    傾斜面
３７      ガイド部材
４０      ガイド部材
４０ａ    ガイド部材基部
４１      孔４１
４１ａ    孔周面
【図１】
0005047022.tif 000002
【図２】
0005047022.tif 000003
【図３】
0005047022.tif 000004
【図４】
0005047022.tif 000005
【図５】
0005047022.tif 000006
【図６】
0005047022.tif 000007
【図７】
0005047022.tif 000008
【図８】
0005047022.tif 000009
【図９】
0005047022.tif 000010
【図１０】
0005047022.tif 000011
【図１１】
0005047022.tif 000012
【図１２】
0005047022.tif 000013
【図１３】
0005047022.tif 000014
【図１４】
0005047022.tif 000015
【図１５】
0005047022.tif 000016
【図１６】
0005047022.tif 000017
【図１７】
0005047022.tif 000018
【図１８】
0005047022.tif 000019
【図１９】
0005047022.tif 000020
【図２０】
0005047022.tif 000021